(57)【要約】【課題】血管等の分岐部へ装着する従来技術のステントの抱える課題を解決するための分岐ステント及びシステムを提供する。【解決手段】本発明は第１と第２のステント骨格を含む分岐ステントを提供する。ステント骨格はレーザを使用して筒状ステント骨格から切り出すことができる。各ステント骨格は脚部分と胴体部分とを含む。胴体部分にはセグメントとギャップを形成しセグメント同士のオーバーラップが最小となるように同軸状に整列させる。各脚部分はこれに対応する胴体部分とは独立してクリンプすることができるので、これに対応する胴体部分の直径より小さい直径を実現できる。脚部分は胴体部分を同軸状に整列したときに互いに一方が他方から離れるようにして屈曲することが可能である。【選択図】図６
2004321805.tif 000002
【特許請求の範囲】
【請求項１】
第１の脚部分と第１の胴体部分とを含む第１のステント骨格と、
第２の脚部分と第２の胴体部分とを含む第２のステント骨格とを含み、前記第１と第２の胴体部分はセグメントとギャップで形成され前記セグメント同士のオーバーラップが最小となるように同軸状に整列されている
ことを特徴とする分岐ステント。
【請求項２】
前記第１のステント骨格と前記第２のステント骨格の各々が筒状ステント骨格の壁にパターンをレーザで切り込むことで形成されることを特徴とする請求項１に記載のステント。
【請求項３】
各々の脚部分はこれに対応する胴体部分の直径より小さい直径にクリンプされることを特徴とする請求項１に記載のステント。
【請求項４】
前記胴体部分とは独立して前記脚部分をクリンプできる位置にある点で、前記第１の胴体部分は前記第１の脚部分へ連結され前記第２の胴体部分は前記第２の脚部分へ連結されることを特徴とする請求項１に記載のステント。
【請求項５】
前記連結点は前記第１と第２の胴体部分を同軸状に整列させたときに前記脚部分が互いに一方が他方から離れるようにして屈曲できるように配置されることを特徴とする請求項４に記載のステント。
【請求項６】
前記第１の胴体部分と前記第２の胴体部分の一方の少なくとも先端をクリンプして前記胴体部分の同軸状整列を行い易くすることを特徴とする請求項１に記載のステント。
【請求項７】
前記第１のステント骨格と前記第２のステント骨格の一方の少なくとも一部に近い位置に配置された移植部材
を更に含むことを特徴とする請求項１に記載のステント。
【請求項８】
前記ステントの少なくとも一部の上に配置した治療薬
を更に含むことを特徴とする請求項１に記載のステント。
【請求項９】
カテーテルと、
前記カテーテルへ動作可能に連結され、第１の脚部分と第１の胴体部分とを含む第１のステント骨格と、
前記カテーテルへ動作可能に連結され、第２の脚部分と第２の胴体部分とを含む第２のステント骨格とを含み、前記第１と第２の胴体部分はセグメントとギャップで形成され前記セグメント同士のオーバーラップが最小になるように同軸状に整列される
血管病変治療用システム。
【請求項１０】
前記第１のステント骨格と前記第２のステント骨格の各々が筒状ステント骨格の壁にパターンをレーザで切り込むことで形成されることを特徴とする請求項９に記載のシステム。
【請求項１１】
各々の脚部分がこれに対応する胴体部分の直径より小さい直径にクリンプされることを特徴とする請求項９に記載のシステム。
【請求項１２】
前記第１の胴体部分は前記第１の脚部分へ連結され前記第２の胴体部分は前記第２の脚部分へ連結され、各々前記胴体部分とは独立して前記脚部分がクリンプできるように配置された点で結合されることを特徴とする請求項９に記載のシステム。
【請求項１３】
前記連結点は前記第１と第２の胴体部分を同軸状に整列したとき前記第１と第２の脚部分が互いに一方が他方から離れるようにして屈曲できるように配置されることを特徴とする請求項１２に記載のシステム。
【請求項１４】
前記第１の胴体部分と前記第２の胴体部分の一方の少なくとも先端がクリンプされて前記胴体部分の同軸状整列を行い易くすることを特徴とする請求項９に記載のシステム。
【請求項１５】
前記カテーテルは第１のバルーン部分と第２のバルーン部分とを有する分岐バルーンを含むことを特徴とする請求項９に記載のシステム。
【請求項１６】
前記第１の脚部分は前記第１のバルーン部分へ動作可能に連結され、前記第２の脚部分は前記第２のバルーン部分へ動作可能に連結され、前記同軸状に整列した胴体部分は前記第１と第２のバルーンの両方へ動作可能に連結されることを特徴とする請求項１５に記載のシステム。
【請求項１７】
第１のガイドワイヤと、
第２のガイドワイヤと
を更に含むことを特徴とする請求項１５に記載のシステム。
【請求項１８】
前記第１のステント骨格と前記第２のステント骨格の一方の少なくとも一部の近くに配置された移植部材
を更に含むことを特徴とする請求項９に記載のシステム。
【請求項１９】
前記システムの少なくとも一部の上に配置された治療薬
を更に含むことを特徴とする請求項９に記載のシステム。
【請求項２０】
第１の脚部分と第１の胴体部分とを含む第１のステント骨格を提供することと、
第２の脚部分と第２の胴体部分とを含む第２のステント骨格を提供することと、
各々の脚部分をこれに対応する胴体部分の直径より小さい直径にクリンプすることと、
前記第１と第２の胴体部分を同軸状に整列することと
を含む分岐ステントの製造方法。
【請求項２１】
第１のステント骨格を提供することは筒状ステント骨格の壁に第１のパターンをレーザで切り込むことを含むことを特徴とする請求項２０に記載の方法。
【請求項２２】
第１のステント骨格を提供することは、前記ステント骨格を洗浄することと、前記ステント骨格を熱処理することと、前記ステント骨格を電解研摩することと、及びその組合せとからなるグループから選択したステップを実行することを更に含むことを特徴とする請求項２１に記載の方法。
【請求項２３】
第２のステント骨格を提供することは筒状ステント骨格の壁に第２のパターンをレーザで切り込むことを含むことを特徴とする請求項２０に記載の方法。
【請求項２４】
第２のステント骨格を提供することは、前記ステント骨格を洗浄することと、前記ステント骨格を熱処理することと、前記ステント骨格を電解研摩することと、及びその組合せとからなるグループから選択したステップを実行することを更に含むことを特徴とする請求項２３に記載の方法。
【請求項２５】
第１のステント骨格を提供することはセグメントとギャップでもって前記第１の胴体部分を形成することを含むことを特徴とする請求項２０に記載の方法。
【請求項２６】
第２のステント骨格を提供することはセグメントとギャップでもって前記第２の胴体部分を形成し前記第２の胴体部分が前記第１の胴体部分と同軸状に整列したときにセグメント同士のオーバーラップが最小又は無くなるようにすることを含むことを特徴とする請求項２５に記載の方法。
【請求項２７】
前記第１の胴体部分と前記第２の胴体部分の一方の少なくとも先端をクリンプして前記胴体部分の同軸状整列を行い易くすること
を更に含むことを特徴とする請求項２０に記載の方法。
【請求項２８】
前記第１のステント骨格と前記第２のステント骨格の一方の少なくとも一部の近くに移植部材を配置すること
を更に含むことを特徴とする請求項２０に記載の方法。
【請求項２９】
前記ステントの少なくとも一部の上に治療薬剤を付けること
を更に含むことを特徴とする請求項２０に記載の方法。
【請求項３０】
前記第１のステント骨格の前記胴体部分を前記第２のステント骨格の前記胴体部分へ取り付けること
を更に含むことを特徴とする請求項２０に記載の方法。
【発明の詳細な説明】
【技術分野】
【０００１】
本発明は一般に生物医学用ステントに関する。更に詳しくは、本発明は２個のステント骨格を含み、各々の骨格構造が脚の部分と胴体の部分とを含むような分岐ステントに関する。胴体部分はセグメントとギャップで形成され、これらはセグメント同士の重なり（以下、オーバーラップ）が最小限になるように同軸状に整列されている。
【背景技術】
【０００２】
ステントは略円筒形の装置で、体腔内に移植された後、半径方向に拡大して血管又はその他の体腔の一部を開いた状態に保持する。各種のステントが使用されているが、これには拡張式ステント及び自己拡張式ステントが含まれる。拡張式ステントは一般にバルーン・カテーテル又はその他の拡張装置の上に被せて治療する領域まで搬送する。挿入の際、ステントは供給装置に沿って圧縮状態に配置しておく、例えば供給装置の一部であるガイドワイヤを取り巻くように折り畳まれているかあるいは巻き付けられているバルーンにクリンプ（ｃｒｉｍｐ）されている。ステントが患部を渡るように配置されたら、供給装置によって拡大されて、ステントの直径が拡大する。自己拡張式ステントの場合には、一般にシースを後退させることでステントの拡張ができる。
【０００３】
ステントは血管内血管形成術を含め各種の医学的治療用途においてバルーン・カテーテルと組合せて使用される。例えば、バルーン・カテーテル装置は経皮経管的冠動脈形成術（ＰＴＣＡ）中に膨張させ狭窄した血管を拡張させる。狭窄は粥状硬化又は血栓等の病変の結果である。膨張させたとき、加圧したバルーンは病変部に圧縮力をかけるので、これによって病変した血管の内径を増大させる。血管の内径の増大により血流の改善が助長される。
【０００４】
しかし術後すぐに治療した血管が有意な率で再狭窄する。再狭窄を防止するために、金属又はポリマーで作成したステントを血管内に移植して体腔の寸法を維持するようにする。ステントは体腔を開いた位置に支持するための足場として機能する。ステントの構造は連続壁、メッシュ、相互接続したステント、又は同様なセグメントで形成された円筒状のチューブを含む。例示的なステントが、Ｂｏｎｅａｕへの米国特許第５，２９２，３３１号、Ｇｌｏｂｅｒｍａｎへの米国特許第６，０９０，１２７号、Ｗｉｋｔｏｒへの米国特許第５，１３３，７３２号、Ｐａｌｍａｚへの米国特許第４，７３９，７６２号、Ｌａｕへの米国特許第５，４２１，９５５号に開示されている。
【０００５】
治療を必要とする領域が１本の血管が２本の血管に分岐する分岐部の近くにあるとき、困難が発生する。分岐部で血管の病変を効果的に治療するには、ステントがいずれかの隣接している血管での血流を阻害することなく病変領域全体をカバーする必要がある。これは実現するのが極めて難しい。
【０００６】
従来様々なステント技術が分岐部の治療のために開示されている。従来技術による分岐部ステント技術の一つは側方分岐血管へ最初にステントを装着してから主血管にステントを装着することを含む。側方分岐血管の小孔（開口のある部位）での角度の変化又は限られた視野のため側方分岐ステントの正確な装着ができず、ステントが最適状態よりも少ない小孔被覆を提供するか、又は主血管へステントが突き出して血流を阻害する結果になる。ステントは更に外科処置が必要な隣接している血管の部分への到達も妨害する。
【０００７】
別の従来技術は主血管へ最初にステントを装着し、しかるのち主血管ステントの壁を通して側方分岐血管へと第２のステントを前進させ、ここに第２のステントを展開するものである。この方法の欠点は、主血管ステントが展開する際に側方分岐血管の小孔を圧縮することで、不可能でないにしても第２のステントの挿入を困難にするリスクがあることである。側方分岐血管が開放したままであっても第１のステントの壁を通し側方分岐へ第２のステントを正確に位置合わせすることは大きな困難が伴いステントの望ましくないオーバーラップに終わることがある。
【０００８】
分岐がＹ字状で、主血管が２本の小血管へ分岐する場合、従来の技術では３本のステントを配置し、１本は主血管へ、また小血管の各々に１本ずつ装着していた。前述した問題はこの技術でも存在する。
【発明の開示】
【発明が解決しようとする課題】
【０００９】
したがって、前述及びその他の欠点を克服し、血管の病変を治療するための分岐ステント及びシステムを提供することが望まれる。
【課題を解決するための手段】
【００１０】
本発明の１つの観点は、第１と第２のステント骨格を含む分岐ステントである。各ステントの骨格は脚の部分と胴体部分とを含む。胴体部分はセグメントとギャップで形成されセグメント同士のオーバーラップが最小限になるように同軸状に整列させる。
【００１１】
本発明の別の観点は、カテーテルと、カテーテルへ動作可能に連結された第１と第２のステント骨格とを含む血管病変治療用のシステムである。それぞれのステント骨格は脚の部分と胴体部分とを含む。胴体部分はセグメントとギャップで形成されセグメント同士のオーバーラップが最小限になるように同軸状に整列させる。
【００１２】
本発明のさらなる観点は、分岐ステントを製造する方法である。第１の脚の部分と第１の胴体部分とを含む第１のステント骨格を用意する。第２の脚の部分と第２の胴体部分とを含む第２のステント骨格を用意する。各々の脚部分はこれに対応する胴体部分の直径より小さな直径にクリンプする。第１と第２の胴体部分は同軸状に整列させる。
【００１３】
本発明の前述した及びその他の特徴並びに利点は現在好適な実施態様についての以下の詳細な説明を添付の図面を参照しつつ読むことから一層明らかになろう。詳細な説明及び図面は本発明を単に例示するものであって、制限するものではなく、本発明の範囲は付属の請求項及びその等価物によって確定される。
【発明を実施するための最良の形態】
【００１４】
本発明の１つの観点は分岐ステントである。本発明によるステントの一つの実施態様が図１から図６に図示してある。これらの図面において同様の部材は同様の参照番号で示してある。
【００１５】
本発明の分岐ステントは第１のステント骨格１１０と第２のステント骨格１２０とを含む。図１に図示してあるように、第１のステント骨格１１０は第１の脚部分１１１と第１の胴体部分１１２とを含む。第１の胴体部分はセグメント１１３とギャップ１１４で形成される。本実施態様において、第１の脚部分１１１は単一の点１１５で第１の胴体部分１１２へ取り付けてあり、これにより第１の脚部分１１１を第１の胴体部分１１２とは独立してクリンプできる。
【００１６】
図２から判るように、第２のステント骨格１２０は第２の脚部分１２１と第２の胴体部分１２２とを含む。第２の胴体部分はセグメント１２４とギャップ１２３とで形成される。第２の脚部分１２１は単一の点１２５で第２の胴体部分１２２へ取り付けて、第２の胴体部分１２２とは独立して第２の脚部分１２１をクリンプすることができる。
【００１７】
ステント骨格は様々な医用移植可能な材料、例えばステンレス鋼、ニチノール、タンタル、セラミック、ニッケル、チタン、アルミニウム、ポリマー材料、タンタル、ＭＰ３５Ｎ、ステンレス鋼、ＡＳＴＭ  Ｆ６３−８３グレード１のチタン、ニオブ、高カラット・ゴールドＫ１９−２２、又は上記の組合せ等から作成できる。ステント骨格はレーザを使用して筒状ステント骨格の壁へ図１及び図２に見られるパターンを切り込むことで形成できる。
【００１８】
図３は第１の脚部分１１１を対応する胴体部分１１２の直径より小さい直径までクリンプした第１のステント骨格１１０を示す。図４では、第２のステント骨格１２０の第２の脚部分１２１も第２の対応する胴体部分１２２の直径より小さな直径にクリンプしてある。図３と図４は両方とも、脚部分は対応する胴体部分の直径の半分よりわずかに小さな直径までクリンプした状態で図示してある。図から判るように、脚部分をクリンプすることにより第１の胴体部分１１２に開口１１６及び第２の胴体部分１２２に開口１２６ができる。
【００１９】
図５は同軸状に整列するように配置された第１のステント骨格１１０と第２のステント骨格１２０を示す。図６において、第１のステント骨格１１０と第２のステント骨格１２０は分岐ステントを形成するように組み立ててある。第１の胴体部分１１２を第２の胴体部分１２２に同軸状に整列させることは第２のステント骨格１２０を第１のステント骨格１１０に挿入し、第２の脚部分１２１を開口１１６へ通すことで実現している。つまり、第２の胴体部分１２２は第１の胴体部分１１２の内部に配置されて同軸状に整列している。第２の胴体部分１２２の少なくとも先端は胴体部分１２２を胴体部分１１２へ挿入し易くするようにクリンプすることができる。
【００２０】
図から判るように、第１の胴体部分１１２のセグメント１１３とギャップ１１４及び第２の胴体部分１２２のギャップ１２３とセグメント１２４はセグメント同士のオーバーラップが最小限になるように整列する。連結点１１５と１２５は第１の脚部分１１１と第２の脚部分１２１が互いに一方が他方から離れるようにして屈曲できるように配置されている。
【００２１】
本発明による分岐ステントはステントの少なくとも一部の上に配置した治療薬剤（図示していない）を含むことができる。この薬剤は例えば抗腫瘍薬、増殖抑制薬、抗生物質、抗炎症薬、それらの組合せ及び同等な物などである。
【００２２】
ステントは更にポリエステル、伸展ポリテトラフルオロエチレン（ＰＴＦＥ）又はその他適切な材料の薄いスリーブ等の移植部材（これも図示していない）を含むことができる。移植部材は２個の胴体部分の間に配置してこれらの間のクッションとして作用させるか、又は例えば足場の改善又は分岐部付近への治療薬の局所供給等、治療的便益の提供のために使用できる。
【００２３】
本発明の別の観点は血管病変の治療用システムである。本発明によるシステムの一つの実施態様が図７に図示してある。このシステムはカテーテル７１０、第１のステント骨格７２０、第２のステント骨格７３０を含む。
【００２４】
カテーテル７１０は血管内の治療部位へステントを供給するのに適した、従来技術で公知の例えば経皮経管的冠動脈形成術（ＰＴＣＡ）用バルーン・カテーテルなどのどのようなカテーテルでも良い。
【００２５】
第１のステント骨格７２０と第２のステント骨格７３０は各種の医用移植可能材料、例えばステンレス鋼、ニチノール、タンタル、セラミック、ニッケル、チタン、アルミニウム、ポリマー材料、タンタル、ＭＰ３５Ｎ、ステンレス鋼、ＡＳＴ  ＭＦ６３−８３グレード１のチタン、ニオブ、ハ高カラット・ゴールドＫ１９−２２、又は上記の組合せ等から作成する。ステント骨格はレーザを使用して筒状の壁のステント骨格にパターンを切り込むことで形成できる。
【００２６】
第１のステント骨格７２０は第１の脚部分７２２と第１の胴体部分７２４とを含む。第２のステント骨格７３０は第２の脚部分７３２と第２の胴体部分７３４とを含む。各々の脚部分はこれに対応する胴体部分の直径より小さい直径にクリンプしてある。第１の胴体部分は７２５で第１の脚部分へ連結してあり、第２の胴体部分は７３５で第２の脚部分へ連結し、これらの点は胴体部分から独立して脚部分をクリンプすることができるように配置してある。連結点は更に胴体部分を整列したときに脚部分が互いに一方が他方から離れるようにして屈曲可能なように配置して、分岐血管の分枝内に各々の脚部分を配置し易くしている。
【００２７】
胴体部分７２４と７３４はセグメントとギャップで形成される。２個の胴体部分はセグメントのオーバーラップが最小になるように同心軸状に整列されている。同軸状に整列させることには第２のステント骨格７３０を第１のステント骨格７２０に挿入し、第１の脚部分７２２をクリンプすることにより第２の脚部分７３２を第１の胴体部分７２４に形成した開口へ通すことで実現できる。つまり、第２の胴体部分７３４は第１の胴体部分７２４内部に配置され同軸状に整列している。第２の胴体部分７３４の少なくとも先端をクリンプして胴体部分７３４を胴体部分７２４に挿入し易くする。
【００２８】
図７に図示した実施態様において、カテーテル７１０は分岐バルーン７１１を含み、これは第１のバルーン部分７１２と第２のバルーン部分７１３とを含む。分岐バルーン７１１は適切な材料例えばポリエチレン、ポリエチレンテレフタレート（ＰＥＴ）、ナイロン（登録商標）、ペバックス（登録商標）、又は同様な物で作成する。分岐バルーン７１１の寸法は供給しようとするステントの寸法に基づいて選択できる。
【００２９】
第１の脚部分７２２は第１のバルーン部分７１２へ動作可能に連結されている。第２の脚部分７３２は第２のバルーン部分７１３へ動作可能に連結されている。同軸状に整列した第１の胴体部分７２４と第２の胴体部分７３４は双方のバルーン部分へ動作可能に連結し、二つのバルーン部分が同軸状の胴体部分の内部で互いに隣接するようにする。
【００３０】
本システムは更に第１のガイドワイヤ７１６と第２のガイドワイヤ７１８とを含む。第１のガイドワイヤ７１６は第１のバルーン部分７１２内部の内腔を通り、第２のガイドワイヤ７１８は第２のバルーン部分７１３内部の内腔を通る。２本のガイドワイヤは分岐血管の分枝内に脚部分７２２、７３２を配置するのを補助する。
【００３１】
本発明によるシステムは本システムの少なくとも一部に配置した治療薬剤（図示していない）を含むことができる。この薬剤は例えば抗腫瘍薬、増殖抑制薬、抗生物質、抗炎症薬、それらの組合せ及び同等な物などである。
【００３２】
本システムは更にポリエステル、伸展ポリテトラフルオロエチレン（ＰＴＦＥ）又はその他適切な材料の薄いスリーブ等の移植部材（これも図示していない）を含むことができる。移植部材は２個の胴体部分の間に配置してこれらの間のクッションとして作用させるか、又は例えば足場の改善又は分岐部付近への治療薬の局所供給等、治療的便益の提供のために使用できる。
【００３３】
本発明の更なる観点は分岐ステントの製造方法である。図８は本発明による分岐ステントの製造方法の一つの実施態様のフロー図を示す。
【００３４】
第１と第２のステント骨格を用意し、各骨格は脚部分と胴体部分を含む（ブロック８０５）。このようなステント骨格を用意することには、例えば円筒状ステント骨格の壁にレーザでパターンを切り込むことを含む。第１のパターンは第１のステント骨格となるように切り込み（ブロック８１０）、第２のパターンを第２のステント骨格となるように切り込む（ブロック８１５）。両方のステント骨格は他のレーザ切削ステントと同様に完全に加工できる。つまり、レーザ切削の後ステント骨格を洗浄し（ブロック８２０）、熱処理し（ブロック８１５）、電解研摩（ブロック８３０）する。
【００３５】
第１のステント骨格の胴体部分へのパターン切り込みは骨格にセグメントとギャップを形成する。第２のステント骨格の胴体部分へのパターン切り込みも骨格にセグメントとギャップを形成する。これらのセグメントとギャップは一方の胴体部分のセグメントが他方の胴体部分のギャップを埋めるように配置する、つまり２個の胴体部分が同軸状に整列したときにセグメントのオーバーラップが最小限になるようにする。これを実現しステントに望ましい他の能力を提供するような各種のパターンを工夫できることが当業者には理解されよう。
【００３６】
レーザ切削の後、各々のステント骨格はステップ付きマンドレルに取り付けてクリンプする（ブロック８３５）。適切なステップ付きマンドレルは２個の円筒状部分を含み、第１の部分はステント骨格内部にぴったり適合する大きさ、また第２の部分は第１のマンドレル部分の半分より幾分小さい直径を備える。各々の脚部分は小さい直径を有するマンドレル部分でクリンプする（ブロック８４０）。これにより各々の脚部分はこれに対応する胴体部分の直径より小さい直径を有することになる。
【００３７】
脚部分へのパターンの切り込みは各々の脚部分がこれに対応する胴体部分とは独立してクリンプできるようにするだけでなく、胴体部分を同軸状に整列したときに脚部分が互いに一方が他方から離れるようにして屈曲できるように設計されている。この屈曲能力により分岐血管の分枝内への脚部分の配置が容易にできるようになる。脚部分と胴体部分はステント骨格の単一の点又は隣接した点で連結し、この点はクリンプするステップの間マンドレルの上で適切な方向に向くようにする。
【００３８】
２個の胴体部分の整列より先に、第２の胴体部分に接して移植部材を配置できる（ブロック８４５）。移植部材は２個の胴体部分の間でクッションとして機能したり、又は例えば足場の改善又は分岐部付近への治療薬の局所供給等、治療的便益の提供のために使用できる。
【００３９】
胴体部分の同軸整列は、例えば第１のステント骨格へ第２のステント骨格を挿入し（ブロック８５０）、第１の脚部分をクリンプしたときに第２の脚部分を第１の胴体部分に形成した開口を通過させることで実現できる。第２の胴体部分は第１の胴体部分の内部に配置されて同軸状に整列し、各々の胴体部分のセグメントが他方の胴体部分のギャップを埋めることで、セグメント同士のオーバーラップが最小限になるようにしている。第２の胴体部分の少なくとも先端をクリンプすることで挿入し易くする。
【００４０】
第１のステント骨格の胴体部分はスポット溶接等の方法を用いて第２のステント骨格の胴体部分へ取り付ける（ブロック８５５）。このような取付けはステント骨格を相互に固定し、２個の骨格の間の擦過を減少又は排除する。
【００４１】
治療薬剤を適用して分岐部の近傍への治療薬剤の局所的供給を提供することができる（ブロック８６０）。治療薬剤は一方又は両方のステント骨格の全部又は一部に付けることができる。また移植部材の全部又は一部に付けることもできる。この付ける方法としては、浸漬、スプレー、パッド印刷、インクジェット印刷、ローリング、塗布、マイクロスプレー、ワイピング、静電付着、気相蒸着、エピタキシャル成長、それらの組合せ等を使用することができる。治療薬剤はステント組立ての前、途中、又は後で付けることができることは当業者には理解されよう。
【００４２】
本明細書で開示した発明の実施態様は現在好適であると考えられるが、本発明の精神及び範囲から逸脱することなく様々な変化及び変更を行うことができる。本発明の範囲は付録の請求項に示してあり、等価物の意味と範囲内に納まる全ての変更及び変化がこれに含まれることを意図している。
【図面の簡単な説明】
【００４３】
【図１】図１は、本発明による第１のステント骨格の一つの実施態様の略図である。
【図２】図２は、本発明による第２のステント骨格の一つの実施態様の略図である。
【図３】図３は、図１のステント骨格の略図で、第１の脚部分を第１の胴体部分の直径より小さな直径にクリンプした後の第１のステント骨格を示す。
【図４】図４は、図２のステント骨格の略図で、第２の脚部分を第２の胴体部分の直径より小さな直径にクリンプした後の第２のステント骨格を示す。
【図５】図５は、図３及び図４の第１と第２のステント骨格を同軸状に整列させるように配置した略図である。
【図６】図６は、本発明による図５に図示したステント骨格を使用して形成した分岐ステントの一つの実施態様の略図である。
【図７】図７は、本発明による血管病変治療システムの略図である。
【図８】図８は、本発明による分岐ステント製造方法の一つの実施態様のフロー図である。
【図１】
2004321805.tif 000003
【図２】
2004321805.tif 000004
【図３】
2004321805.tif 000005
【図４】
2004321805.tif 000006
【図５】
2004321805.tif 000007
【図６】
2004321805.tif 000008
【図７】
2004321805.tif 000009
【図８】
2004321805.tif 000010
【外国語明細書】
2004321805.tif 000011
2004321805.tif 000012
2004321805.tif 000013
2004321805.tif 000014
2004321805.tif 000015
2004321805.tif 000016
2004321805.tif 000017
2004321805.tif 000018
2004321805.tif 000019
2004321805.tif 000020
2004321805.tif 000021
2004321805.tif 000022
2004321805.tif 000023
2004321805.tif 000024
2004321805.tif 000025
2004321805.tif 000026
2004321805.tif 000027
2004321805.tif 000028
2004321805.tif 000029
2004321805.tif 000030
2004321805.tif 000031
2004321805.tif 000032